(57)【要約】【課題】  電力伝送するコイル間の結合を高め、電磁波の不要な輻射の低減効果を向上させること。【解決手段】  コイル装置Ｌ１は、第一のコイル１０の第二のコイル２０と対向する対向面とは反対側に配置される第一のシールド部３０を備え、第一のシールド部３０は第一の磁性体４０と、第一の磁性体４０の第一のコイル１０と対向する対向面とは反対側に配置される第一の導電体５０とを有し、第一の磁性体４０は、第一の基部４１と、第一の基部４１から延びる第一の突出部４２を有し、第一の導電体５０は、第二の基部５１と、第二の基部５１から延びる第二の突出部５２を有する。第一の突出部４２の縁部および第二の突出部５２の縁部が第一のコイル１０と第二のコイル２０との間に位置している。【選択図】図１
2014053366.tif 000002
【特許請求の範囲】
【請求項１】
第一および第二のコイルと、前記第一のコイルの前記第二のコイルと対向する対向面とは反対側に配置される第一のシールド部と、を備え、前記第一のシールド部は、第一の磁性体と、前記第一の磁性体の前記第一のコイルと対向する対向面とは反対側に配置される第一の導電体とを有し、前記第一の磁性体は、第一の基部と、前記第一の基部から延びる第一の突出部を有し、前記第一の導電体は、第二の基部と、前記第二の基部から延びる第二の突出部を有し、前記第一の突出部の縁部および前記第二の突出部の縁部が前記第一のコイルと前記第二のコイルとの間に位置していることを特徴とするコイル装置。
【請求項２】
前記第二のコイルの前記第一のコイルと対向する対向面とは反対側に第二のシールド部をさらに備え、前記第二のシールド部は、第二の磁性体と、前記第二の磁性体の前記第二のコイルと対向する対向面とは反対側に配置される第二の導電体とを有し、前記第二の磁性体は、第三の基部と、前記第三の基部から延びる第三の突出部を有し、前記第二の導電体は、第四の基部と、前記第四の基部から延びる第四の突出部を有し、前記第三の突出部の縁部および前記第四の突出部の縁部が前記第一のコイルと前記第二のコイルとの間に位置していることを特徴とする請求項１に記載のコイル装置。
【請求項３】
前記第一の導電体は、前記第二の突出部の縁部から前記第二の突出部の延在方向とは異なる方向に延びる第一の延長部を備えていることを特徴とする請求項１または２に記載のコイル装置。
【請求項４】
前記第一の導電体は、前記第二の突出部の縁部から前記第二の突出部の延在方向とは異なる方向に延びる第一の延長部を備え、前記第二の導電体は、前記第四の突出部の縁部から前記第四の突出部の延在方向とは異なる方向に延びる第二の延長部を備えていることを特徴とする請求項２に記載のコイル装置。
【発明の詳細な説明】
【技術分野】
【０００１】
本発明は、コイル装置に関するものである。
【背景技術】
【０００２】
近年、電力伝送方法として、電源コードや送電ケーブルを用いないワイヤレス送電が注目されている。このワイヤレス送電技術としては、有力なものとして電磁誘導を用いた送電および磁界の共鳴を用いた送電の２つの技術が知られている。
【０００３】
磁界の共鳴を用いたワイヤレス送電の手法は、電磁誘導を用いたワイヤレス送電の手法と比較して、大電力を長距離送電することができるという特徴がある。具体的には、数ｋＷの大電力を数ｍの距離送電できる。
【０００４】
ところで、ワイヤレスによる大電力送電を行った場合、電磁波の不要な輻射が送電機器外部の空間中に発生してしまい、周辺の電子機器に悪影響を及ぼすという問題があった。
【０００５】
上記の問題点を解決するために、特許文献１では、コイルの背後に棒状の磁性体と導電体（アルミニウム）を配置して不要な輻射を低減する技術が提案されている。
【先行技術文献】
【特許文献】
【０００６】
【特許文献１】米国公開２０１２／００２５６０２号公報
【発明の概要】
【発明が解決しようとする課題】
【０００７】
しかしながら、特許文献１に開示される技術では、コイルの背後に配置される磁性体が棒状のため、コイル間の磁路が形成されにくく、コイル間の結合を高めることが難しい。そのため、コイル間の電力伝送効率が高まらず、電力伝送に寄与しなかった磁束が外部に漏れることから、不要な輻射が十分に低減されないという問題があった。
【０００８】
本発明は、上記問題に鑑みてなされたものであり、電力伝送するコイル間の結合を高め、電磁波の不要な輻射の低減効果を向上させることを目的とする。
【課題を解決するための手段】
【０００９】
本発明に係るコイル装置は、第一および第二のコイルと、第一のコイルの第二のコイルと対向する対向面とは反対側に配置される第一のシールド部と、を備え、第一のシールド部は第一の磁性体と、第一の磁性体の第一のコイルと対向する対向面とは反対側に配置される第一の導電体とを有し、第一の磁性体は、第一の基部と、第一の基部から延びる第一の突出部を有し、第一の導電体は、第二の基部と、第二の基部から延びる第二の突出部を有し、第一の突出部の縁部および第二の突出部の縁部が第一のコイルと第二のコイルとの間に位置していることを特徴とする。
【００１０】
本発明によれば、第一のコイルの第二のコイルと対向する対向面とは反対側に、第一の磁性体と、第一の磁性体の第一のコイルと対向する対向面とは反対側に配置される第一の導電体とを有する第一のシールド部を備えている。ここで、磁性体は、磁路の磁気抵抗を減らす作用があり、導電体は、外部に漏れた磁束を吸収する作用がある。そのため、第一のシールド部が第一の磁性体を有することで、磁路の磁気抵抗が減少し、コイル間の結合が高まる。その結果、コイル間の電力伝送効率が向上し、電磁波の不要な輻射を低減することができる。また、第一のシールド部が第一の導電体を有することで、外部に漏れた磁束が吸収されるため、電磁波の不要な輻射を低減することができる。ここで、外部に漏れた磁束を吸収する作用とは、導電体に鎖交する磁束の渦電流効果により、当該磁束が相殺される現象のことを言う。
【００１１】
さらに、本発明に係るコイル装置は、第一の磁性体が第一の基部と、第一の基部から延びる第一の突出部を備え、第一の導電体が第二の基部と、第二の基部から延びる第二の突出部を備え、第一の突出部の縁部および第二の突出部の縁部が第一のコイルと第二のコイルとの間に位置している。そのため、磁路の磁気抵抗を減らす作用がある第一の磁性体が第一の突出部を備え、第一の突出部の縁部が第一のコイルと第二のコイルとの間に位置するように長く延ばされていることから、磁路の磁気抵抗が減少し、コイル間の結合が高まる。その結果、コイル間の電力伝送効率が向上し、電磁波の不要な輻射の低減効果を向上させることができる。また、外部に漏れた磁束を吸収する作用がある第一の導電体が第二の突出部を備え、第二の突出部の縁部が第一のコイルと第二のコイルとの間に位置するように長く延ばされていることから、第一のコイルと第二のコイルとの対向方向と直交する方向に漏れる磁束についても、第二の突出部によって吸収されるため、電磁波の不要な輻射の低減効果を向上させることができる。
【００１２】
好ましくは、第二のコイルの第一のコイルと対向する対向面とは反対側に第二のシールド部をさらに備え、第二のシールド部は、第二の磁性体と、第二の磁性体の第二のコイルと対向する対向面とは反対側に配置される第二の導電体とを有し、第二の磁性体は、第三の基部と、第三の基部から延びる第三の突出部を有し、第二の導電体は、第四の基部と、第四の基部から延びる第四の突出部を有し、第三の突出部の縁部および第四の突出部の縁部が第一のコイルと第二のコイルとの間に位置している。
【００１３】
この場合、第二のコイルの第一のコイルと対向する対向面とは反対側において、磁路の磁気抵抗を減らす作用がある第二の磁性体が第三の突出部を備え、第三の突出部の縁部が第一のコイルと第二のコイルとの間に位置するように長く延ばされていることから、磁路の磁気抵抗の減少作用が増すこととなり、コイル間の結合が一層高まる。その結果、コイル間の電力伝送効率が向上し、電磁波の不要な輻射の低減効果を向上させることができる。また、第二のコイルの第一のコイルと対向する対向面とは反対側において、外部に漏れた磁束を吸収する作用がある第二の導電体が第四の突出部を備え、第四の突出部の縁部が第一のコイルと第二のコイルとの間に位置するように長く延ばされていることから、第一のコイルと第二のコイルとの対向方向と直交する方向に漏れる磁束の吸収作用が増すこととなり、電磁波の不要な輻射の低減効果を向上させることができる。
【００１４】
好ましくは、第一の導電体は、第二の突出部の縁部から第二の突出部の延在方向とは異なる方向に延びる第一の延長部を備えている。
【００１５】
この場合、外部に漏れた磁束を吸収する作用がある第一の導電体が第一の延長部を備えることで、第一のコイルと第二のコイルとの対向方向と直交する方向に漏れる磁束の吸収作用が増すこととなり、電磁波の不要な輻射の低減効果を一層向上させることができる。
【００１６】
好ましくは、第一の導電体は、第二の突出部の縁部から第二の突出部の延在方向とは異なる方向に延びる第一の延長部を備え、第二の導電体は、第四の突出部の縁部から第四の突出部の延在方向とは異なる方向に延びる第二の延長部を備えている。
【００１７】
この場合、外部に漏れた磁束を吸収する作用がある第一の導電体が第一の延長部を備え、外部に漏れた磁束を吸収する作用がある第二の導電体が第二の延長部を備えることで、第一のコイルと第二のコイルとの対向方向と直交する方向に漏れる磁束の吸収作用がさらに増すこととなり、電磁波の不要な輻射の低減効果をより一層向上させることができる。
【発明の効果】
【００１８】
本発明のコイル装置によれば、電力伝送するコイル間の結合を高め、電磁波の不要な輻射の低減効果を向上させることができる。
【図面の簡単な説明】
【００１９】
【図１】本発明の第１実施形態に係るコイル装置の構成を示す断面図である。
【図２】本発明の第２実施形態に係るコイル装置の構成を示す断面図である。
【発明を実施するための形態】
【００２０】
本発明を実施するための形態（実施形態）につき、図面を参照しつつ詳細に説明する。なお、説明において、同一要素又は同一機能を有する要素には、同一符号を用いることとし、重複する説明は省略する。
【００２１】
（第１実施形態）
まず、図１を参照して、本発明の第１実施形態の構成について説明する。図１は、本発明の第１実施形態に係るコイル装置Ｌ１の構成を示す断面図である。
【００２２】
コイル装置Ｌ１は、図１に示されるように、第一のコイル１０と、第二のコイル２０と、第一のシールド部３０と、第二のシールド部６０とを含む。第一のコイル１０と第二のコイル２０は、その間に所定の距離を空けて配置され、ワイヤレスにて電力の送受電が行われる。
【００２３】
第一のコイル１０は、地中または地面近傍に配設される。ここで、第一のコイル１０は、第二のコイル２０との電力伝送効率を高めるため、第一のコイル１０と第二のコイル２０との結合度が大きくなるように、そのコイル径および巻数が適宜設定される。
【００２４】
第二のコイル２０は、第一のコイル１０からの電力を受電可能に構成され、好ましくは第一のコイル１０と同軸上に配設される。ここで、第二のコイル２０は、第一のコイル１０との電力伝送効率を高めるため、第一のコイル１０と第二のコイル２０との結合度が大きくなるように、そのコイル径および巻数が適宜設定される。
【００２５】
第一のシールド部３０は、第一のコイル１０の第二のコイル２０と対向する対向面とは反対側に配置されている。第一のシールド部３０は、第一の磁性体４０と、第一の磁性体４０の第一のコイル１０と対向する対向面とは反対側に配置される第一の導電体５０とを含む。すなわち、第一のコイル１０と第二のコイル２０との対向方向において、第二のコイル２０から第一のコイル１０に向かう方向で、第一のコイル１０、第一の磁性体４０、第一の導電体５０の順で配置されている。ここで、第一の磁性体４０と第一の導電体５０とは、接触して配置される必要はなく、その間に空隙または絶縁体を設けても良い。
【００２６】
第一の磁性体４０は、磁性体から構成され、磁路の磁気抵抗を減らし、コイル間の磁気的な結合を高める作用を有する。磁性体としては、例えばセンダスト、ＭｎＺｎフェライト、アモルファス、パーマロイなどが挙げられる。磁性体の透磁率および電気抵抗は高ければ高いほど好ましく、これらの中では、特にＭｎＺｎフェライトが好ましい。第一の磁性体４０は、第一の基部４１と、第一の基部４１から延びる第一の突出部４２とをさらに含む。
【００２７】
第一の基部４１は、第一のコイル１０と第二のコイル２０との対向方向と直交する方向に沿って延びている。本実施形態では、第一のコイル１０と第二のコイル２０との対向方向から見て、第一の基部４１の外輪郭は、第一のコイル１０の外輪郭よりも外側に位置している。
【００２８】
第一の突出部４２は、第一の基部４１の延在方向とは異なる方向に延びている。言い換えると、第一の突出部４２は、第一の基部４１に対して、第一のコイル１０の方向に傾く勾配を有している。ここで、第一の基部４１と第一の突出部４２とのなす角度α１は、９０°〜１３５°の範囲に設定するのが好ましい。角度α１が９０°未満であると、角度α１が上記範囲内である場合と比較して、第一のコイル１０と第一の突出部４２との間で磁束のループが形成され易くなり、電力伝送効率が低下する傾向にある。一方、角度α１が１３５°を超えると、角度α１が上記範囲内である場合と比較して、第一の磁性体４０が大きくなるのに伴い、コイル装置が大型化するという弊害が生じやすい。
【００２９】
第一の突出部４２の一方の縁部は、第一の基部４１の外周縁に連結されている。第一の突出部４２の他方の縁部は、第一のコイル１０と第二のコイル２０との間に位置している。すなわち、第一の基部４１からみて、第一のコイル１０よりも第一の突出部４２の他方の縁部が高い位置（図示上方）に位置している。また、第一の突出部４２は第一のコイル１０の周囲を囲むように配置されている。これにより、第一のコイル１０は、第一の基部４１と第一の突出部４２によって画定される空間内部に位置することとなる。
【００３０】
第一の導電体５０は、導電体から構成され、電磁波を吸収する作用を有する。導電体としては、例えばアルミニウム、銅、銀などが挙げられる。導電体は、非磁性でも良く、その導電率は高ければ高いほど好ましい。第一の導電体５０は、第二の基部５１と、第二の基部５１から延びる第二の突出部５２とをさらに含む。本実施形態では、第二の基部５１と第二の突出部５２は、一体的に形成されている。
【００３１】
第二の基部５１は、第一のコイル１０と第二のコイル２０との対向方向と直交する方向に沿って延びている。本実施形態では、第一のコイル１０と第二のコイル２０との対向方向から見て、第二の基部５１の外輪郭は、第一のコイル１０の外輪郭よりも外側に位置している。
【００３２】
第二の突出部５２は、第二の基部５１の延在方向とは異なる方向に延びている。言い換えると、第二の突出部５２は、第二の基部５１に対して、第一のコイル１０の方向に傾く勾配を有している。ここで、第二の基部５１と第二の突出部５２とのなす角度β１は、第一の基部４１と第一の突出部４２とのなす角度α１と同一であると好ましい。第二の突出部５２を第一の突出部４２の延在方向に沿って配置することで、第一のコイル１０と第二のコイル２０との対向方向と直交する方向に漏れる磁束を確実に吸収することができるためである。
【００３３】
第二の突出部５２の一方の縁部は、第二の基部５１の外周縁に連結されている。第二の突出部５２の他方の縁部は、第一のコイル１０と第二のコイル２０との間に位置している。すなわち、第二の基部５１からみて、第一のコイル１０よりも第二の突出部５２の他方の縁部が高い位置（図示上方）に位置している。また、第二の突出部５２は第一のコイル１０の周囲を囲むように配置されている。これにより、第一のコイル１０は、第二の基部５１と第二の突出部５２によって画定される空間内部に位置することとなる。
【００３４】
第二のシールド部６０は、第二のコイル２０の第一のコイル１０と対向する対向面とは反対側に配置されている。第二のシールド部６０は、第二の磁性体７０と、第二の磁性体７０と第二のコイル２０と対向する対向面とは反対側に配置される第二の導電体８０とを含む。すなわち、第一のコイル１０と第二のコイル２０との対向方向において、第一のコイル１０から第二のコイル２０に向かう方向で、第二のコイル２０、第二の磁性体７０、第二の導電体８０の順で配置されている。ここで、第二の磁性体７０と第二の導電体８０は、接触して配置される必要はなく、その間に空隙または絶縁体を設けても良い。
【００３５】
第二の磁性体７０は、磁性体から構成され、磁路の磁気抵抗を減らし、コイル間の磁気的な結合を高める作用を有する。磁性体としては、例えばセンダスト、ＭｎＺｎフェライト、アモルファス、パーマロイなどが挙げられる。磁性体の透磁率および電気抵抗は高ければ高いほど好ましく、これらの中では、特にＭｎＺｎフェライトが好ましい。第二の磁性体７０は、第三の基部７１と、第三の基部７１から延びる第三の突出部７２とをさらに含む。
【００３６】
第三の基部７１は、第一のコイル１０と第二のコイル２０との対向方向と直交する方向に沿って延びている。本実施形態では、第一のコイル１０と第二のコイル２０との対向方向から見て、第三の基部７１の外輪郭は、第二のコイル２０の外輪郭よりも外側に位置している。
【００３７】
第三の突出部７２は、第三の基部７１の延在方向とは異なる方向に延びている。言い換えると、第三の突出部７２は、第三の基部７１に対して、第二のコイル２０の方向に傾く勾配を有している。ここで、第三の基部７１と第三の突出部７２とのなす角度α２は、９０°〜１３５°の範囲に設定するのが好ましい。角度α２が９０°未満であると、角度α２が上記範囲内の場合と比較して、第二のコイル２０と第三の突出部７２との間で磁束のループが形成され易くなり、電力伝送効率が低下する傾向にある。一方、角度α２が１３５°を超えると、角度α２が上記範囲内の場合と比較して、第二の磁性体７０が大きくなるのに伴い、コイル装置が大型化するという弊害が生じやすい。尚、角度α１と角度α２を同一に設定すると、コイル間の磁気的な結合が高まり良好である。
【００３８】
第三の突出部７２の一方の縁部は、第三の基部７１の外周縁に連結されている。第三の突出部７２の他方の縁部は、第一のコイル１０と第二のコイル２０との間に位置している。すなわち、第三の基部７１からみて第二のコイル２０よりも第三の突出部７２の他方の縁部が高い位置（図示下方）に位置している。また、第三の突出部７２は第二のコイル２０の周囲を囲むよう配置されている。これにより、第二のコイル２０は、第三の基部７１と第三の突出部７２によって画定される空間内部に位置することとなる。
【００３９】
第二の導電体８０は、導電体から構成され、電磁波を吸収する作用を有する。導電体としては、例えばアルミニウム、銅、銀などが挙げられる。導電体は、非磁性でも良く、その導電率は高ければ高いほど好ましい。第二の導電体８０は、第四の基部８１と、第四の基部８１から延びる第四の突出部８２とをさらに含む。本実施形態では、第四の基部８１と第四の突出部８２は、一体的に形成されている。
【００４０】
第四の基部８１は、第一のコイル１０と第二のコイル２０との対向方向と直交する方向に沿って延びている。本実施形態では、第一のコイル１０と第二のコイル２０の対向方向から見て、第四の基部８１の外輪郭は、第二のコイル２０の外輪郭よりも外側に位置している。
【００４１】
第四の突出部８２は、第四の基部８１の延在方向とは異なる方向に延びている。言い換えると、第四の突出部８２は、第四の基部８１に対して、第二のコイル２０の方向に傾く勾配を有している。ここで、第四の基部８１と第四の突出部８２とのなす角度β２は、第三の基部７１と第三の突出部７２とのなす角度α２と同一であると好ましい。第四の突出部８２を第三の突出部７２の延在方向に沿って配置することで、第一のコイル１０と第二のコイル２０との対向方向と直交する方向に漏れる磁束を確実に吸収することができるためである。
【００４２】
第四の突出部８２の一方の縁部は、第四の基部８１の外周縁に連結されている。第四の突出部８２の他方の縁部は、第一のコイル１０と第二のコイル２０との間に位置している。すなわち、第四の基部８１からみて第二のコイル２０よりも第四の突出部８２の他方の縁部が高い位置（図示下方）に位置している。また、第四の突出部８２は第二のコイル２０の周囲を囲むように配置されている。これにより、第二のコイル２０は、第四の基部８１と第四の突出部８２によって画定される空間内部に位置することとなる。
【００４３】
以上のように、本実施形態に係るコイル装置Ｌ１では、第一のコイル１０の第二のコイル２０と対向する対向面とは反対側に、第一の磁性体４０と、第一の磁性体４０の第一のコイル１０と対向する対向面とは反対側に配置される第一の導電体５０を有する第一のシールド部３０を備えている。ここで、磁性体は、磁路の磁気抵抗を減らす作用があり、導電体は、外部に漏れた磁束を吸収する作用がある。そのため、第一のシールド部３０が第一の磁性体４０を有することで、磁路の磁気抵抗が減少し、コイル間の結合が高まる。その結果、コイル間の電力伝送効率が向上し、電磁波の不要な輻射を低減することができる。また、第一のシールド部３０が第一の導電体５０を有することで、外部に漏れた磁束が吸収されるため、電磁波の不要な輻射を低減することができる。
【００４４】
さらに、本実施形態に係るコイル装置Ｌ１では、第一の磁性体４０が第一の基部４１と、第一の基部４１から延びる第一の突出部４２を備え、第一の導電体５０が第二の基部５１と、第二の基部５１から延びる第二の突出部５２を備え、第一の突出部４２の縁部および第二の突出部５２の縁部が第一のコイル１０と第二のコイル２０との間に位置している。そのため、磁路の磁気抵抗を減らす作用がある第一の磁性体４０が第一の突出部４２を備え、第一の突出部４２の縁部が第一のコイル１０と第二のコイル２０との間に位置するように長く延ばされていることから、磁路の磁気抵抗が減少し、コイル間の結合が高まる。その結果、コイル間の電力伝送効率が向上し、電磁波の不要な輻射の低減効果を向上させることができる。また、外部に漏れた磁束を吸収する作用がある第一の導電体５０が第二の突出部５２を備え、第二の突出部５２の縁部が第一のコイル１０と第二のコイル２０との間に位置するように長く延ばされていることから、第一のコイル１０と第二のコイル２０との対向方向と直交する方向に漏れる磁束についても、第二の突出部５２によって吸収されるため、電磁波の不要な輻射の低減効果を向上させることができる。
【００４５】
本実施形態に係るコイル装置Ｌ１においては、第二のコイル２０の第一のコイル１０と対向する対向面とは反対側に第二のシールド部６０をさらに備え、第二のシールド部６０は、第二の磁性体７０と、第二の磁性体７０の第二のコイル２０と対向する対向面とは反対側に配置される第二の導電体８０とを有し、第二の磁性体７０は、第三の基部７１と、第三の基部７１から延びる第三の突出部７２を有し、第二の導電体８０は、第四の基部８１と、第四の基部８１から延びる第四の突出部８２を有し、第三の突出部７２の縁部および第四の突出部８２の縁部が第一のコイル１０と第二のコイル２０との間に位置している。これにより、第二のコイル２０の第一のコイル１０と対向する対向面とは反対側において、磁路の磁気抵抗を減らす作用がある第二の磁性体７０が第三の突出部７２を備え、第三の突出部７２の縁部が第一のコイル１０と第二のコイル２０との間に位置するように長く延ばされていることから、磁路の磁気抵抗の減少作用が増すこととなり、コイル間の結合が一層高まる。その結果、コイル間の電力伝送効率が向上し、電磁波の不要な輻射の低減効果を向上させることができる。また、第二のコイル２０の第一のコイル１０と対向する対向面とは反対側において、外部に漏れた磁束を吸収する作用がある第二の導電体８０が第四の突出部８２を備え、第四の突出部８２の縁部が第一のコイル１０と第二のコイル２０との間に位置するように長く延ばされていることから、第一のコイル１０と第二のコイル２０との対向方向と直交する方向に漏れる磁束の吸収作用が増すこととなり、電磁波の不要な輻射の低減効果を向上させることができる。
【００４６】
（第２実施形態）
続いて、図２を参照して、本発明の第２実施形態の構成について説明する。図２は、本発明の第２実施形態に係るコイル装置Ｌ２の構成を示す断面図である。第２実施形態に係るコイル装置Ｌ２は、第一の導電体５０および第二の導電体８０が延長部を備えている点において、第１実施形態に係るコイル装置Ｌ１と異なっている。以下、第１実施形態と異なる点を中心に説明する。
【００４７】
コイル装置Ｌ２は、第１実施形態のコイル装置Ｌ１と同様に、第一のコイル１０と、第二のコイル２０と、第一のシールド部３０と、第二のシールド部６０とを含む。
【００４８】
第一のシールド部３０は、第１実施形態と同様、第一のコイル１０の第二のコイル２０と対向する対向面とは反対側に配置されている。第一のシールド部３０は、第一の磁性体４０と、第一の磁性体４０の第一のコイル１０と対向する対向面と反対側に配置される第一の導電体５０とを含む。すなわち、第一のコイル１０と第二のコイル２０との対向方向において、第二のコイル２０から第一のコイル１０に向かう方向で、第一のコイル１０、第一の磁性体４０、第一の導電体５０の順で配置されている。但し、本実施形態では、第一の導電体５０が、第二の基部５１と、第二の基部５１から延びる第二の突出部５２と、第二の突出部５２から延びる第一の延長部５３を備えており、この点が第１実施形態と相違する。
【００４９】
第一の延長部５３は、第二の突出部５２の延在方向とは異なる方向に延びている。本実施形態では、第一の延長部５３と第二の基部５１の延在方向が同一となっている。
【００５０】
第二のシールド部６０は、第１実施形態と同様、第二のコイル２０の第一のコイル１０と対向する対向面とは反対側に配置されている。第二のシールド部６０は、第二の磁性体７０と、第二の磁性体７０の第二のコイル２０と対向する対向面とは反対側に配置される第二の導電体８０とを含む。すなわち、第一のコイル１０と第二のコイル２０との対向方向において、第一のコイル１０から第二のコイル２０に向かう方向で、第二のコイル２０、第二の磁性体７０、第二の導電体８０の順で配置されている。但し、本実施形態では、第二の導電体８０が、第四の基部８１と、第四の基部８１から延びる第四の突出部８２と、第四の突出部８２から延びる第二の延長部８３を備えており、この点が第１実施形態と相違する。
【００５１】
第二の延長部８３は、第四の突出部８２の延在方向とは異なる方向に延びている。本実施形態では、第二の延長部８３と第四の基部８１の延在方向が同一となっている。
【００５２】
以上のように、本実施形態に係るコイル装置Ｌ２では、第一の導電体５０は、第二の突出部５２の縁部から第二の突出部５２の延在方向とは異なる方向に延びる第一の延長部５３を備え、第二の導電体８０は、第四の突出部８２の縁部から第四の突出部８２の延在方向とは異なる方向に延びる第二の延長部８３を備えている。そのため、外部に漏れた磁束を吸収する作用がある第一の導電体５０が第一の延長部５３を備えることで、第一のコイル１０と第二のコイル２０との対向方向と直交する方向に漏れる磁束の吸収作用が増すこととなり、電磁波の不要な輻射の低減効果を一層向上させることができる。また、外部に漏れた磁束を吸収する作用がある第二の導電体８０が第二の延長部８３を備えることで、第一のコイル１０と第二のコイル２０との対向方向と直交する方向に漏れる磁束の吸収作用がさらに増すこととなり、電磁波の不要な輻射の低減効果をより一層向上させることができる。
【００５３】
以上、本発明の好適な実施形態について説明してきたが、本発明は必ずしも上述した実施形態に限定されるものではなく、その要旨を逸脱しない範囲で様々な変更が可能である。また、記載した構成要素は、当業者が容易に想定できるもの、実質的に同一なものが含まれる。さらに、記載した構成要素は適宜組み合わせることが可能である。
【符号の説明】
【００５４】
１０…第一のコイル、２０…第二のコイル、３０…第一のシールド部、４０…第一の磁性体、４１…第一の基部、４２…第一の突出部、５０…第一の導電体、５１…第二の基部、５２…第二の突出部、５３…第一の延長部、６０…第二のシールド部、７０…第二の磁性体、７１…第三の基部、７２…第三の突出部、８０…第二の導電体、８１…第四の基部、８２…第四の突出部、８３…第二の延長部、α１…第一の基部と第一の突出部とのなす角度、α２…第三の基部と第三の突出部とのなす角度、β１…第二の基部と第二の突出部とのなす角度、β２…第四の基部と第四の突出部とのなす角度、Ｌ１，Ｌ２…コイル装置。
【図１】
2014053366.tif 000003
【図２】
2014053366.tif 000004